(57)【要約】【課題】シート又はウェブの品質を低下させることなく異物を除去できると共に、粘着式ゴミ取りローラの交換サイクルも長くしてコストの低減が図れるシート又はウェブの異物除去装置を提供する。【解決手段】搬送されている枚葉紙Ｗに付着した異物が転写されるゴム胴３０３と、ゴム胴３０３に対接するブラシロール２１２と、ゴム胴３０３に対接し刷版に代えて粘着シート１０が貼られたプレート１１が付け替えられた版胴３０４と、を備え、前記ゴム胴３０３が枚葉紙Ｗと接触する箇所よりもゴム胴回転方向下流側に前記ブラシロール２１２が配設され、該ブラシロール２１２よりもゴム胴回転方向下流側に前記版胴３０４が配設されている。【選択図】図３
2013043347.tif 000002
【特許請求の範囲】
【請求項１】
搬送されているシート又はウェブに接触し、当該シート又はウェブに付着した異物が転写される回転体と、
前記回転体に対接するブラシロールと、
前記回転体に対接し粘着性表面を有する粘着式ゴミ取りローラと、
を備え、
前記回転体がシート又はウェブと接触する箇所よりも回転体回転方向下流側に前記ブラシロールが配設され、該ブラシロールよりも回転体回転方向下流側に前記粘着式ゴミ取りローラが配設されていることを特徴とするシート又はウェブの異物除去装置。
【請求項２】
前記回転体はゴム胴であり、前記粘着式ゴミ取りローラは粘着シートが貼られたプレートを取り付けることができる版胴であると共に、前記版胴よりもゴム胴回転方向下流側にゴム胴表面を洗浄する洗浄装置をゴム胴に対し着脱可能に備えたことを特徴とする請求項１に記載のシート又はウェブの異物除去装置。
【請求項３】
前記ブラシロールで掻き取られた異物は、吸引装置によって吸引されることを特徴とする請求項２に記載のシート又はウェブの異物除去装置。
【発明の詳細な説明】
【技術分野】
【０００１】
本発明は、多色刷枚葉印刷機の印刷ユニット等に供給されるシート又はウェブに付着している紙粉や裏移り防止用パウダ等の異物を除去するシート又はウェブの異物除去装置に関する。
【背景技術】
【０００２】
例えば多色刷枚葉印刷機において、インキと水とで各色版胴の版面に形成された画像は、版面に対接するゴム胴のブランケット面に転写され、この画像はゴム胴と圧胴との間を通過する紙に転写されて印刷が施されます。この様な印刷作業においては、印刷面が乾燥しない状態で排紙されて積載されると、インキが裏移りして印刷物の品質を低下させるので、スプレーパウダを未乾燥印刷面に散布してこの裏移りを防止しています。また、紙の断裁端には断裁時の紙粉が付着しており、印刷時は、紙はこの紙粉を付着させたままの状態でゴム胴と圧胴との間を通過します。
【０００３】
この様に、紙にはスプレーパウダや紙粉、塵芥などが付着しているので、これらの異物が、画像を形成するインキと水とで湿ったゴム胴のブランケット面に付着すると、これが紙に転移してその紙面を汚し、印刷物の品質が低下するという問題があった。
【０００４】
この対策として、例えば特許文献１に開示されているように、紙を胴による搬送を行う前にブラシ式紙粉除去装置と粘着式ゴミ取りローラを通して紙粉等異物を除去するものや、特許文献２に開示されているように、粘着式ゴミ取りローラを紙搬送方向最上流側に位置したゴム胴のブランケット面に圧接させることで、当該ゴム胴のブランケット面に付着した異物を拭き取るものがある。
【先行技術文献】
【特許文献】
【０００５】
【特許文献１】実開平０４−０９６３４２号公報
【特許文献２】実公平０７−０３７８７１号公報
【特許文献３】特開２００７−１０６１２８号公報
【特許文献４】特開２００１−３２２２４７号公報
【発明の概要】
【発明が解決しようとする課題】
【０００６】
しかしながら、前記特許文献１に開示されている異物除去装置においては、ブラシあるいは粘着式ゴミ取りローラを直接紙に当てるため、紙の表面に傷が付く恐れがあった。また、前記特許文献２に開示されているゴミ取り装置においては、印刷ユニットにおけるスペース的制約から粘着式ゴミ取りローラは、例えばゴミが紙から転写されるゴム胴より小径となることから、汚れた粘着式ゴミ取りローラの交換サイクルが短く、かつ交換後の再調整も行う必要があり、コスト高を招来すると共に作業性が悪いという問題点があった。
【０００７】
そこで、本発明は、シート又はウェブの品質を低下させることなく異物を除去できると共に、粘着式ゴミ取りローラの交換サイクルも長くしてコストの低減が図れるシート又はウェブの異物除去装置を提供する。
【課題を解決するための手段】
【０００８】
前述した課題を解決するための、本発明に係るシート又はウェブの異物除去装置は、
搬送されているシート又はウェブに接触し、当該シート又はウェブに付着した異物が転写される回転体と、
前記回転体に対接するブラシロールと、
前記回転体に必要に応じて対接し粘着性表面を有する粘着式ゴミ取りローラと、
を備え、
前記回転体がシート又はウェブと接触する箇所よりも回転体回転方向下流側に前記ブラシロールが配設され、該ブラシロールよりも回転体回転方向下流側に前記粘着式ゴミ取りローラが配設されていることを特徴とする。
【０００９】
また、
前記回転体はゴム胴であり、前記粘着式ゴミ取りローラは粘着シートが貼られたプレートを取り付けることができる版胴であると共に、前記版胴よりもゴム胴回転方向下流側にゴム胴表面を洗浄する洗浄装置をゴム胴に対し着脱可能に備えたことを特徴とする。
【００１０】
また、
前記ブラシロールで掻き取られた異物は、吸引装置によって吸引されることを特徴とする。
【発明の効果】
【００１１】
本発明に係るシート又はウェブの異物除去装置によれば、回転体に異物を付着させ、その付着した異物を回転体に対接させたブラシロールで除去するので、シート又はウェブを傷付けることなく異物を除去することができる。また、回転体に粘着式ゴミ取りローラを対接させることで、異物を二段階に亘って確実に除去することができる。また、先にブラシロールでゴミを除去した後、ブラシロールでは取りきれなかったゴミを粘着式ゴミ取りローラで除去することによって、粘着式ゴミ取りローラの交換サイクルを長くしてコストの低減を図ることができる。
【００１２】
また、版胴に対し粘着シートが貼られたプレートを刷版に付け替えることができるので、異物除去装置としてだけでなく印刷装置としても使用することができると共に、ゴム胴表面を洗浄する洗浄装置をゴム胴に対し着脱可能に備えたので、必要時にゴム胴表面を洗浄することができる。また、粘着式ゴミ取りローラを版胴とすることで、粘着式ゴミ取りローラがゴム胴と同等の大きさとなるため、粘着シート等の交換サイクルを長くしてコストの低減が図れる。
【００１３】
また、ブラシロールで掻き取られた異物は吸引装置によって集塵されるので、ブラシロールの交換サイクルを長くすることができる。
【図面の簡単な説明】
【００１４】
【図１】本発明の一実施例を示す枚葉印刷機の全体概略構成図である。
【図２】異物除去装置の要部の拡大図である。
【図３】異物除去装置の他の要部の拡大図である。
【図４】図３のＩＶ矢視図である。
【図５Ａ】版胴の構造説明図である。
【図５Ｂ】プレートの斜視図である。
【図６】枚葉印刷機の第一印刷ユニットの制御ブロック図である。
【図７】枚葉印刷機の第一印刷ユニットの要部の作動説明図である。
【発明を実施するための形態】
【００１５】
以下、本発明に係るシート又はウェブの異物除去装置を実施例により図面を用いて詳細に説明する。
【実施例】
【００１６】
図１は本発明の一実施例を示す枚葉印刷機の全体概略構成図、図２は異物除去装置の要部の拡大図、図３は異物除去装置の他の要部の拡大図、図４は図３のＩＶ矢視図、図５Ａは版胴の構造説明図、図５Ｂはプレートの斜視図、図６は枚葉印刷機の第一印刷ユニットの制御ブロック図、図７は枚葉印刷機の第一印刷ユニットの要部の作動説明図である。
【００１７】
図１に示すように、給紙装置１００には、給紙台１０１上に積載された枚葉紙（シート）Ｗを一枚ずつ送り出すフィーダボード１０２の基端側が連絡している。このフィーダボード１０２の先端側には、フィーダボード１０２上の枚葉紙Ｗを渡胴３０１に一枚ずつ受け渡すスイング装置１０３が配設されている。
【００１８】
前記渡胴３０１には、第一印刷ユニット３００の圧胴３０２が対接している。この圧胴３０２には、ゴム胴（回転体）３０３が対接している。このゴム胴３０３には、版胴（粘着式ゴミ取りローラ）３０４が対接している。この版胴３０４の近傍には、当該版胴３０４へ第一色目のインキを供給するインキ供給装置（図示省略）及び当該版胴３０４へ湿し水を供給する給水装置（図示省略）がそれぞれ配設されている。
【００１９】
そして、前記ゴム胴３０３には、当該ゴム胴３０３の圧胴３０２に対する対接箇所よりゴム胴回転方向下流側で当該ゴム胴３０３の版胴３０４に対する対接箇所よりゴム胴回転方向上流側に位置してブラシ式異物除去装置２１０のブラシロール（図示せず）が対接している。尚、ブラシ式異物除去装置２１０は印刷機に対して取り付け取り外し可能となっている。さらに、ゴム胴３０３の外周には、当該ゴム胴３０３の版胴３０４に対する対接箇所よりゴム胴回転方向下流側に位置してゴム胴表面を洗浄する洗浄装置２３０がゴム胴３０３に対し着脱可能に配設されている。
【００２０】
前記圧胴３０２の前記ゴム胴３０３との対接位置よりも当該圧胴３０２の回転方向下流側には、渡胴４０１が対接している。この渡胴４０１には、第二印刷ユニット４００の圧胴４０２が対接している。この圧胴４０２には、ゴム胴４０３が対接している。このゴム胴４０３には、版胴４０４が対接している。この版胴４０４の近傍には、当該版胴４０４へ第二色目のインキを供給するインキ供給装置（図示省略）及び当該版胴４０４へ湿し水を供給する給水装置（図示省略）がそれぞれ配設されている。
【００２１】
前記圧胴４０２の前記ゴム胴４０３との対接位置よりも当該圧胴４０２の回転方向下流側には、渡胴５０１が対接している。この渡胴５０１には、第三印刷ユニット５００の圧胴５０２が対接している。この圧胴５０２には、ゴム胴５０３が対接している。このゴム胴５０３には、版胴５０４が対接している。この版胴５０４の近傍には、当該版胴５０４へ第三色目のインキを供給するインキ供給装置（図示省略）及び当該版胴５０４へ湿し水を供給する給水装置（図示省略）がそれぞれ配設されている。
【００２２】
前記圧胴５０２の前記ゴム胴５０３との対接位置よりも当該圧胴５０２の回転方向下流側には、渡胴６０１が対接している。この渡胴６０１には、第四印刷ユニット６００の圧胴６０２が対接している。この圧胴６０２には、ゴム胴６０３が対接している。このゴム胴６０３には、版胴６０４が対接している。この版胴６０４の近傍には、当該版胴６０４へ第四色目のインキを供給するインキ供給装置（図示省略）及び当該版胴６０４へ湿し水を供給する給水装置（図示省略）がそれぞれ配設されている。
【００２３】
前記圧胴６０２の前記ゴム胴６０３との対接位置よりも当該圧胴６０２の回転方向下流側には、排紙装置７００の排紙胴７０１が対接している。この排紙胴７０１には、スプロケット７０２が同軸上に設けられ、当該スプロケット７０２と排紙装置終端部のスプロケット７０３との間には、くわえ爪を有する爪竿（図示省略）が所定の間隔で複数取り付けられた左右一対の排紙チェーン７０４が卷回されている。この排紙チェーン７０４の下方には、排紙台７０５が紙搬送方向へ二段に亘って配設されている。
【００２４】
そして、図２乃至図４に示すように、前記第一印刷ユニット３００のゴム胴３０３は、印刷機の左，右両フレーム１１０に軸受３０５と偏心軸受３０６を介して回転可能に軸支されている。前記偏心軸受３０６は前記フレーム１１０に回動可能に支持されている。
【００２５】
前記偏心軸受３０６の外周一部にはブラケット３０６ａが突設され、このブラケット３０６ａにはリンクプレート３０７の一端側がピン結合されている。リンクプレート３０７の他端側には、Ｌ字型をなすレバー３０８の一端側がピン結合されており、当該レバー３０８は、Ｌ字状の曲折部分が、前記フレーム１１０に支持された支持軸３０９に回動可能に支持されている。前記レバー３０８の他端側には、ステッピングモータ３１０におけるロッド３１０ａの先端がピン結合されている。前記ステッピングモータ３１０のヘッド基端側は、前記フレーム１１０に回動可能に支持されている。
【００２６】
従って、前記ステッピングモータ３１０を作動させてロッド３１０ａを伸縮させると、前記レバー３０８が揺動して、前記リンクプレート３０７及びブラケット３０６ａを介して前記偏心軸受３０６が回動し、前記圧胴３０２及び版胴３０４の外周面に対して前記ゴム胴３０３を対接離反（着脱）させることができる（図２参照）。尚、このような構成は、第二印刷ユニット４００のゴム胴４０３，第三印刷ユニット５００のゴム胴５０３及び第四印刷ユニット６００のゴム胴６０３においても同様である。
【００２７】
また、図３に示すように、第一印刷ユニット３００のゴム胴３０３には、当該ゴム胴３０３が枚葉紙Ｗと接触する箇所よりもゴム胴回転方向下流側でかつ前記版胴３０４よりもゴム胴回転方向上流側に位置して、前述したブラシ式異物除去装置２１０のブラシロール２１２が対接している。尚、図３の例では、ゴム胴３０３が圧胴３０２から離脱している状態であるので、この状態では、ブラシロール２１２はゴム胴３０３から離脱することになる。ブラシ式異物除去装置２１０は、筐体状のケーシング２１１に図示しないモータで回転駆動されるブラシロール２１２と図示しないバキューム源にバキュームホース２１３等を介して連通する吸引装置２１４とが内装される公知のものである。
【００２８】
また、図３及び図４に示すように、第一印刷ユニット３００のゴム胴３０３には、前記版胴３０４よりもゴム胴回転方向下流側にゴム胴表面を洗浄する洗浄装置２３０がゴム胴３０３に対し着脱可能に配設されている。
【００２９】
即ち、前記ゴム胴３０３の外周面の近傍に位置して、前記左，右両フレーム１１０間には回動軸３１１が架設されている。この回動軸３１１の左，右両端部には、左右一対のＬ字状ブラケット３１２の一端側がそれぞれ固定支持されている。そして、これらブラケット３１２の対向面側には、前記ゴム胴３０３の径方向に沿って延びる切欠き溝３１２ａが形成されている。
【００３０】
前記ブラケット３１２の近傍には、前記ゴム胴３０３の軸方向へ延びる支持ステー３３３の両端に連結されている支持フレーム３３４が配設されている。前記支持フレーム３３４の前記ブラケット３１２との対面側には、ブラケット３１２の切欠き溝３１２ａ内に係合する係合ローラ３３５及び係合バー３３６が支持部材３３５ａ，３３６ａを介してそれぞれ取り付けられており、支持フレーム３３４は、ブラケット３１２に対して、係合ローラ３３５及び係合バー３３６を介して切欠き溝３１２ａの長手方向に沿ってスライドできるように係合して支承されている。
【００３１】
対をなす前記支持フレーム３３４の先端間には、前記ゴム胴３０３の外周面と対向するように配向されたパッド３３１が支持フレーム３３４に対して支持部材３３２を介して支持されている。前記パッド３３１の近傍の支持フレーム３３４間には、洗浄液を含浸された洗浄帯３３０を巻き付けられた繰り出しローラ３３９と、この繰り出しローラ３３９から繰り出される洗浄帯３３０を回収する巻き取りローラ３４０とが配設されており、前記洗浄帯３３０は、パッド３３１のゴム胴３０３との対向面側を通過するようになっている。
【００３２】
前記支持フレーム３３４の基端側には、前記ブラケット３１２の基端側に形成された嵌合穴３１２ｂに挿脱可能な止めピン３３７が、圧縮コイルばね３３８により常時挿入する方向に付勢されて貫通支持されている。
【００３３】
従って、前記ブラケット３１２の切欠き溝３１２ａに前記係合ローラ３３５及び係合バー３３６を載せるように支持フレーム３３４を配設して、ブラケット３１２の切欠き溝３１２ａの先端側の端部にまで係合ローラ３３５を当接させるように支持フレーム３３４を切欠き溝３１２ａに沿ってスライドさせることにより、ブラケット３１２に対して、支持フレーム３３４、即ち、洗浄装置２３０のパッド３３１を規定の位置に位置決めすることができると共に、前記止めピン３３７を前記嵌合穴３１２ｂに嵌合させることにより、ブラケット３１２に対して、支持フレーム３３４、即ち、前記パッド３３１を規定の位置に固定することができる。一方、前記圧縮コイルばね３３８の付勢力に抗して止めピン３３７を前記嵌合穴３１２ｂから引き抜いて、ブラケット３１２から支持フレーム３３４を離反させるように係合ローラ３３５及び係合バー３３６をブラケット３１２の切欠き溝３１２ａ上で移動させることにより、ブラケット３１２に対してパッド３３１等を支持フレーム３３４と共に取り外すことができる。
【００３４】
前記回動軸３１１には、レバー３１３の一端側が連結固定されている。このレバー３１３の他端側には、エアシリンダ３１４のピストンロッド先端がピン結合されている。エアシリンダ３１４のヘッド基端側は、前記フレーム１１０に対して回動可能に支持されている（図３参照）。
【００３５】
従って、前記エアシリンダ２４０を伸縮させると、レバー３１３を介して回動軸３１１が回動して、ブラケット３１２が揺動し、前記支持フレーム３３４を介してパッド３３１を前記ゴム胴３０３の外周面に対して対接離反（着脱）させることができる。
【００３６】
また、前記偏心軸受３０６には、前記回動軸３１１側へカム面を向けたカム３１５が取り付けられている。前記ブラケット３１２の曲折部分には、支持プレート３１７の基端側が、先端側を当該ブラケット３１２から突出させるようにして、固定されている。そして、前記支持プレート３１７の先端側には、前記カム３１５のカム面と転接可能なカムフォロア３１６が取り付けられている。
【００３７】
従って、前記エアシリンダ３１４の作動による前記ゴム胴３０３の外周面への前記パッド３３１の対接に伴って、前記カムフォロア３１６がカム３１５のカム面に押し付けられるように転接することにより、ゴム胴３０３の外周面に対するパッド３３１の押圧力を一定に保持することができる。
【００３８】
また、本実施例では、図５Ａ及び図５Ｂに示すように、前記第一印刷ユニット３００の版胴３０４において、刷版に代えて、粘着シート１０が貼り付けられたプレート１１が付け替え可能になっていて、当該第一印刷ユニット３００が所謂異物除去装置ユニットとして機能するようになっている。
【００３９】
即ち、前記プレート１１のくわえ側端部には、Ｕ字状に形成された位置決め用切欠部１２ａと、平面視がコ字状に形成された位置決め用切欠部１２ｂが設けられ、尻側端部は直角に折曲形成されて折曲部１３が設けられている（図５Ｂ参照）。尚、位置決め用切欠部１２ａ，１２ｂに代えて位置決め用の溝又は孔を形成しても良い。
【００４０】
一方、前記版胴３０４の外周部の一部には、胴軸方向に延在する切欠部３０４ａが設けられ、この切欠部３０４ａ内には、従来公知のくわえ側版万力装置（プレート固定装置）３０４ｂと尻側版万力装置（プレート固定装置）３０４ｃが設けられる（図５Ａ参照）。尚、前記プレート１１に位置決め用の溝又は孔を形成した場合には、この溝又は孔に嵌り合うピンを前記くわえ側版万力装置３０４ｂに設けると好適である。
【００４１】
また、プレート１１の交換は、特許文献３で開示された版挿入装置や特許文献４で開示された自動版交換装置を用いて刷版の交換と同じ要領で行われる。
【００４２】
また、図６に示すように、前記第一印刷ユニット３００のステッピングモータ３１０及びエアシリンダ３１４は、制御装置２５０の出力部へ電気的に接続されている。この制御装置２５０の入力部には、第一印刷ユニット３００で印刷を行う印刷モードスイッチ２５１と、第一印刷ユニット３００で異物除去を行う異物除去モードスイッチ２５２と、第一印刷ユニット３００でゴム胴３０３に付着したインキの洗浄を行う洗浄モードスイッチ２５３とがそれぞれ電気的に接続されており、当該制御装置２５０は、前記各モードスイッチ２５１〜２５３等からの情報に基づいて、前記ステッピングモータ３１０とエアシリンダ３１４の作動を制御することができるようになっている（詳細は後述する）。
【００４３】
このような異物除去装置を備えた枚葉印刷機の作動を次に説明する。
【００４４】
先ず、印刷モードスイッチ２５１がＯＮの時は、第一印刷ユニット３００において、ステッピングモータ３１０におけるロッド３１０ａの収縮により偏心軸受３０６が図中反時計方向に回動し、ゴム胴３０３が圧胴３０２と版胴３０４に対接する（図２の実線参照）。尚、この際、ゴム胴２０３は圧胴２０２に対して枚葉紙Ｗの紙厚に対応する押圧力で押圧される。また、この時の版胴３０４にはプレート１１に代えて刷版が巻装されている。一方、エアシリンダ３１４は伸長されてブラケット３１２が図中反時計方向に回動し、パッド３３１がゴム胴３０３の外周面から離間する（図３の二点鎖線及び図７のＡ１参照）。また、この時、ブラシ式異物除去装置２１０は取り外してある。
【００４５】
この状態下で、前記給紙装置１００の給紙台１０１上の枚葉紙Ｗをフィーダボード１０２上に一枚ずつ給紙してスイング装置１０３で前記渡胴３０１に一枚ずつ受け渡すと、当該枚葉紙Ｗは、渡胴３０１から第一印刷ユニット３００の圧胴３０２に受け渡され、ここで版胴３０４に供給された第一色目のインキがゴム胴３０３を介して転写されて印刷される。
【００４６】
引き続き、前記枚葉紙Ｗは、渡胴４０１を介して第二印刷ユニット４００の圧胴４０２に受け渡され、ここで版胴４０４に供給された第二色目のインキがゴム胴４０３を介して転写されて印刷される。次に、渡胴５０１を介して第三印刷ユニット５００の圧胴５０２に受け渡され、ここで版胴５０４に供給された第三色目のインキがゴム胴５０３を介して転写されて印刷される。次に、渡胴６０１を介して第四印刷ユニット６００の圧胴６０２に受け渡され、ここで版胴６０４に供給された第四色目のインキがゴム胴６０３を介して転写されて印刷された後、排紙装置７００の排紙胴７０１に受け渡される。そして、ここから排紙チェーン７０４の爪竿にくわえ替えされて搬送され、所定の排紙台７０５上に排紙される。
【００４７】
次に、異物除去モードスイッチ２５２がＯＮの時は、第一印刷ユニット３００において、ステッピングモータ３１０におけるロッド３１０ａの収縮により偏心軸受３０６が図中反時計方向に回動し、ゴム胴３０３が圧胴３０２と版胴３０４に対接する（図２の実線参照）。尚、この際、ゴム胴２０３は圧胴２０２に対して枚葉紙Ｗの紙厚に対応する押圧力で押圧される。また、この時の版胴３０４には刷版に代えて粘着シート１０が貼られたプレート１１が巻装されている。一方、エアシリンダ３１４は伸長されてブラケット３１２が図中反時計方向に回動し、パッド３３１がゴム胴３０３の外周面から離間する（図３の二点鎖線及び図７のＡ１参照）。尚、この際、インカー等が版胴３０４から離間して版胴３０４にはインキが転移されないようになっている。また、この時、ブラシ式異物除去装置２１０は取り付けてある。
【００４８】
この状態下で、前記給紙装置１００の給紙台１０１上の枚葉紙Ｗをフィーダボード１０２上に一枚ずつ給紙してスイング装置１０３で前記渡胴３０１に一枚ずつ受け渡すと、当該枚葉紙Ｗは、渡胴３０１から第一印刷ユニット３００の圧胴３０２に受け渡され、当該圧胴３０２とゴム胴３０３との対接位置を通過することにより、紙粉や裏移り防止用のパウダ等の異物がゴム胴３０３のブランケット面に付着転移して取り除かれ、その後、ゴム胴３０３に付着した異物がブラシ式異物除去装置２１０のブラシロール２１２で掻き取られると共にこのブラシロール２１２で掻き取られなかった異物は版胴３０４に巻装されたプレート１１の粘着シート１０に付着転移して取り除かれる。そして、前記ブラシロール２１２で掻き取られたゴミは吸引装置２１４で集塵されてバキュームホース２１３等で外部に排出される。
【００４９】
引き続き、前記枚葉紙Ｗは、渡胴４０１を介して第二印刷ユニット４００の圧胴４０２に受け渡され、ここで版胴４０４に供給された第一色目のインキがゴム胴４０３を介して転写されて印刷される。次に、渡胴５０１を介して第三印刷ユニット５００の圧胴５０２に受け渡され、ここで版胴５０４に供給された第二色目のインキがゴム胴５０３を介して転写されて印刷される。次に、渡胴６０１を介して第四印刷ユニット６００の圧胴６０２に受け渡され、ここで版胴６０４に供給された第三色目のインキがゴム胴６０３を介して転写されて印刷された後、排紙装置７００の排紙胴７０１に受け渡される。そして、ここから排紙チェーン７０４の爪竿にくわえ替えされて搬送され、所定の排紙台７０５上に排紙される。
【００５０】
最後に、洗浄モードスイッチ２５３がＯＮの時は、第一印刷ユニット３００において、ステッピングモータ３１０におけるロッド３１０ａの伸長により偏心軸受３０６が図中時計方向に回動し、ゴム胴３０３が圧胴３０２と版胴３０４（及びブラシロール２１２）から離間する（図２の二点鎖線参照）。一方、エアシリンダ３１４は収縮されてブラケット３１２が図中時計方向に回動し、パッド３３１がゴム胴３０３の外周面に対接する（図３の実線及び図７のＡ２参照）。
【００５１】
この状態下で、前記ゴム胴３０３は、ブランケット面に付着残留しているインキが洗浄帯３３０に拭き取られて洗浄される。
【００５２】
ゴム胴３０３に対する洗浄が終了したら、前記洗浄モードスイッチ２５３を「ＯＦＦ」にして印刷モードスイッチ２５１又は異物除去モードスイッチ２５２をＯＮにすることで、第一印刷ユニット３００において、ステッピングモータ３１０におけるロッド３１０ａの収縮により偏心軸受３０６が図中反時計方向に回動し、ゴム胴３０３が圧胴３０２と版胴３０４に対接すると共に、エアシリンダ３１４は伸長されてブラケット３１２が図中反時計方向に回動し、パッド３３１がゴム胴３０３の外周面から離間して、印刷モード又は異物除去モードの状態に戻る。
【００５３】
このようにして本実施例によれば、ゴム胴３０３のブランケット面に異物を付着させ、その付着した異物をゴム胴３０３に対接させたブラシロール２１２で除去するので、枚葉紙Ｗを傷付けることなく異物を除去することができる。また、ゴム胴３０３に、粘着シート１０が貼られたプレート１１を刷版に代えて巻装してなる版胴３０４を対接させることで、異物を二段階に亘って確実に除去することができる。また、版胴３０４は従来の粘着式ゴミ取りローラより大径なので、プレート１１（厳密には粘着シート１０）の交換サイクルを長くしてコストの低減が図れる。また、プレート１１の交換も印刷機の版交換等の要領で容易に行える。また、先にブラシロールでゴミを除去した後、ブラシロールでは取りきれなかったゴミを粘着式ゴミ取りローラで除去することによって、粘着式ゴミ取りローラの交換サイクルを長くしてコストの低減を図ることができる。
【００５４】
また、ブラシロール２１２で掻き取られた異物は吸引装置２１４によって集塵されるので、ブラシロール２１２の交換サイクルを長くすることができる。
【００５５】
また、版胴３０４に対し粘着シート１０が貼られたプレート１１を刷版に付け替えることができるので、異物除去装置としてだけでなく印刷装置としても使用することができると共に、ゴム胴表面を洗浄する洗浄装置２３０をゴム胴３０３に対し着脱可能に備えたので、必要時にゴム胴表面を洗浄することができる。
【００５６】
また、ブラシ式異物除去装置、本実施例では、印刷機に対して取り付け取り外し可能としたが、駆動装置によって、ゴム胴に対して着脱可能な構成となっていても良い。この場合、印刷モードの時ブラシ式異物除去装置はゴム胴に対して離反し、異物除去モードの時ブラシ式異物除去装置はゴム胴に対して対接し、洗浄モードの時ブラシ式異物除去装置はゴム胴に対して離反するようになっている。
【産業上の利用可能性】
【００５７】
本発明に係るシート又はウェブの異物除去装置は、シート又はウェブの品質を低下させることなく異物を除去できると共に、ブラシの交換サイクルを長くしてコストの低減が図れるので、枚葉印刷機やウェブ輪転印刷機に限らず、ニスをコーティングするニス塗布装置等の各種産業において極めて有益に利用することができる。
【符号の説明】
【００５８】
１０  粘着シート
１１  プレート
１２ａ  Ｕ字状に形成された位置決め用切欠部
１２ｂ  コ字状に形成された位置決め用切欠部
１３  折曲部
１００  給紙装置
１０１  給紙台
１０２  フィーダボード
１０３  スイング装置
１１０  フレーム
２１０  ブラシ式異物除去装置
２１１  ケーシング
２１２  ブラシロール
２１３  バキュームホース
２１４  吸引装置
２３０  洗浄装置
３００  第一印刷ユニット
３０１  渡胴
３０２  圧胴
３０３  ゴム胴
３０４  版胴
３０４ａ  切欠部
３０４ｂ  くわえ側版万力装置
３０４ｃ  尻側版万力装置
３０５  軸受
３０６  偏心軸受
３０６ａ  ブラケット
３０７  リンクプレート
３０８  レバー
３０９  支持軸
３１０  ステッピングモータ
３１０ａ  ロッド
３１１  回動軸
３１２  ブラケット
３１２ａ  切欠き溝
３１２ｂ  嵌合穴
３１３  レバー
３１４  エアシリンダ
３１５  カム
３１６  カムフォロア
３１７  支持プレート
３３０  洗浄帯
３３１  パッド
３３２  支持部材
３３３  支持ステー
３３４  支持フレーム
３３５  係合ローラ
３３５ａ  支持部材
３３６  係合バー
３３６ａ  支持部材
３３７  止めピン
３３８  圧縮コイルばね
３３９  繰り出しローラ
３４０  巻き取りローラ
４００  第二印刷ユニット
４０１  渡胴
４０２  圧胴
４０３  ゴム胴
４０４  版胴
５００  第三印刷ユニット
５０１  渡胴
５０２  圧胴
５０３  ゴム胴
５０４  版胴
６００  第四印刷ユニット
６０１  渡胴
６０２  圧胴
６０３  ゴム胴
６０４  版胴
７００  排紙装置
７０１  排紙胴
７０２  スプロケット
７０３  スプロケット
７０４  排紙チェーン
７０５  排紙台
Ｗ  枚葉紙
【図１】
2013043347.tif 000003
【図２】
2013043347.tif 000004
【図３】
2013043347.tif 000005
【図４】
2013043347.tif 000006
【図５Ａ】
2013043347.tif 000007
【図５Ｂ】
2013043347.tif 000008
【図６】
2013043347.tif 000009
【図７】
2013043347.tif 000010